(57)【要約】  【課題】  簡単な構成でフォ−カス合わせが得られるようにしたビデオカメラのフォーカス調整装置を提供すること。  【解決手段】  撮像レンズ部本体１の雄ねじ部１ａに螺合する第１の雌ねじ部２ａと、基台部材３の雄ねじ部３ａに螺合する第２の雌ねじ部２ｂを備えた円筒部材２を用い、撮像レンズ部本体１の雄ねじ部１ａに円筒部材２の第１の雌ねじ部２ａを螺合させ、第２の雌ねじ部２ｂを基台部材３の雄ねじ部３ａに螺合させることにより、撮像レンズ部本体１と固体撮像素子４ａのフォーカス位置を調整し、このとき、基台部材３の雄ねじ部３ａに螺合する雌ねじ部６ａが形成されている雌ねじ部材６を基台部材３の雄ねじ部３ａに螺合させておき、フォーカス位置の調整を終わったら、この雌ねじ部材６を回転操作して円筒部材２の端部に締付け、撮像レンズ部本体１がダブルナット方式により基台部材３に固定されるようにした。  【選択図】  図１
2007093911.tif 000002
【特許請求の範囲】
【請求項１】
撮像レンズ部本体の雄ねじ部に螺合する第１の雌ねじ部と、固体撮像素子が取付れらせている基台部材の雄ねじ部に螺合する第２の雌ねじ部を備えた円筒部材を用い、
前記撮像レンズ部本体の雄ねじ部に前記円筒部材の第１の雌ねじ部２を螺合させ、前記第２の雌ねじ部を前記基台部材の雄ねじ部に螺合させることにより、
前記撮像レンズ部本体１前記固体撮像素子のフォーカス位置を調整し、
前記基台部材の雄ねじ部に螺合する雌ねじ部を備えた雌ねじ部材を前記基台部材の雄ねじ部に螺合させておき、フォーカス位置の調整を終わった後、前記雌ねじ部材を回転操作して前記円筒部材の端部に締付け、
前記撮像レンズ部本体がダブルナット方式により前記基台部材に固定されることを特徴とするフォ−カス調整装置。
【発明の詳細な説明】
【技術分野】
【０００１】
本発明は、ビデオカメラのフォ−カス調整装置に係り、特に、固体撮像素子を用いた比較的小型のビデオカメラに好適なフォ−カス調整装置に関する。
【背景技術】
【０００２】
近年、固体撮像素子の小型化と高性能化は目覚ましく、ビデオカメラの小型化に寄与しているが、この場合、撮像レンズも短焦点化され、小型化されるので、ビデオカメラの小型化に更に大きく寄与しているが、反面、この場合は、撮像レンズによる焦点面での焦点深度が浅くなるので、フォ−カス合わせに高い精度が要求される。
【０００３】
ここで、このフォ−カス合わせとは、撮像レンズから固体撮像素子の結像面までの距離を、カメラ組立段階において撮像レンズの焦点距離に合わせて正しく設定する作業のことであり、このときの撮像レンズの焦点距離とは、無限遠(∞)の被写体に対してピントが合ったときの撮像レンズから結像面までの距離のことである。
【０００４】
ところで、ビデオカメラでは、撮像系の構成として、固体撮像素子が取付けられている金具をレンズ取付用の雌ねじが切られているフロントフレ−ムに固定する方法が、従来から採用されており、この場合、フォ−カス合わせに現われる誤差はフロントフレ−ムの加工公差により規定される。そこで、従来技術では、フォーカス合わせに必要とする精度についてはフロントフレ−ムの加工精度に依存し、当該加工精度を規定公差以下に保持することにより無調整でフォーカス合わせが与えられるようにしていた。
【０００５】
しかし、固体撮像素子には、その取付面から撮像面までの寸法に製作誤差が有り、この誤差が大きい場合、無調整のままでは固体撮像素子のフォ−カス合わせに必要とする精度を与えるのは困難であった。また、このとき使用する撮像レンズのＦ値が小さい場合には、それに応じて焦点深度が浅くなってしまうため、やはり無調整のままでは必要とする精度でフォ−カス合わせを与えるのは困難であった。
【０００６】
そこで、このようなフォ−カス合わせ精度の低下に対応するため、必要な範囲でフォーカス合わせが微細に調整できるようにした方法が従来から提案されている(例えば、特許文献１参照。)。そして、この提案されている方法では光学くさびを用いて光路長を光学的に変え、細かなフォーカス合わせが得られるようにしている。
【特許文献１】特開平８−９２３０号公報
【発明の開示】
【発明が解決しようとする課題】
【０００７】
上記従来技術は、光学くさびを要する点に配慮がされておらず、コストの低減に問題があった。光学くさびはプリズムの一種であり、従って、比較的高価であり、このためコストの低減に問題が生じてしまうのである。
【０００８】
本発明の目的は、簡単な構成でフォ−カス合わせが得られるようにしたビデオカメラのフォーカス調整装置を提供することにある。
【課題を解決するための手段】
【０００９】
上記目的は、撮像レンズ部本体の雄ねじ部に螺合する第１の雌ねじ部と、固体撮像素子が取付れらせている基台部材の雄ねじ部に螺合する第２の雌ねじ部を備えた円筒部材を用い、前記撮像レンズ部本体の雄ねじ部に前記円筒部材の第１の雌ねじ部２を螺合させ、前記第２の雌ねじ部を前記基台部材の雄ねじ部に螺合させることにより、前記撮像レンズ部本体１前記固体撮像素子のフォーカス位置を調整し、前記基台部材の雄ねじ部に螺合する雌ねじ部を備えた雌ねじ部材を前記基台部材の雄ねじ部に螺合させておき、フォーカス位置の調整を終わった後、前記雌ねじ部材を回転操作して前記円筒部材の端部に締付け、前記撮像レンズ部本体がダブルナット方式により前記基台部材に固定される雄ねじ部と雌ねじ部をねじ機構によって組み合わせ、フォ−カスを位置決め後、ダブルナット方式で固定するようにして達成される。
【発明の効果】
【００１０】
本発明によれば、ねじ部材の回動によりフォーカス調整が与えられ、ねじ部材相互の締付けによりフォーカス調整位置の固定が与えられるようにしたので、簡単な構造の機構部材の組合わせで構成することができ、コストの低減に寄与する。
【００１１】
また、この結果、本発明によれば、工具を必要とせず、手作業で簡単にフォーカスが調整できるので、常に確実に精度の良いフォーカス合わせを得ることができ、ビデオカメラの信頼性向上に寄与する。
【発明を実施するための最良の形態】
【００１２】
以下、本発明によるビデオカメラのフォーカス調整装置について、図示の実施の形態により詳細に説明する。
【００１３】
図１は、本発明をビデオカメラの撮像レンズに適用した場合の一実施形態を示す分解斜視図で、この図において、１は撮像レンズ部本体で、２は円筒部材、３は基台部材、４は電子回路基板、５は取付用のビス(サイズの小さい雄ねじ部材)、そして６は雌ねじ部材である。
【００１４】
そして、まず撮像レンズ部本体１は、図示のように、略円筒状の部材として作られ、これには撮像レンズが内蔵され、更にアイリス機構、ピント合わせ機構なとが必要に応じて組み付けられている。そして、その一方の端部、つまり撮像レンズの焦点面側の端部には所定の外径で所定のピッチを備えた雄ねじ部１ａが設けてある。
【００１５】
次に、円筒部材２は、その名称の通り、略円筒状の部材で作られていて、これに、図２の分解斜視図に詳細に記載されているように、第１の雌ねじ部２ａと第２の雌ねじ部２ｂが形成してある。そして、このとき第１の雌ねじ部２ａの内径とピッチは撮像レンズ部本体１の雄ねじ部１ａに合わせてある。ここで第２の雌ねじ部２ｂの内径とピッチについては、後で詳述する。
【００１６】
次に、基台部材３は、固体撮像素子取付用の基台となるもので、図示のように、底部にリム(鍔)部３ｃを有する略円筒状の部材で作られ、その円筒面には雄ねじ部３ａが設けられ、その一方の端部、つまり撮像レンズ部本体１側に対向した端部には、図示されているように、電子回路基板４を取付けるための座面３ｂが形成してあり、この電子回路基板４に固体撮像素子４ａが取付けてある。このときリム部３ｃの外周面には刻み３ｄが形成してある。
【００１７】
そして、雌ねじ部材６は、図示のように、断面が略方形になっているリング状の部材で作られ、その内面には雌ねじ部６ａが形成されている。このとき雌ねじ部６ａの内径とピッチは、基台部材３の雄ねじ部３ａの外径とピッチに同じにしてある。そして、その外周面には刻み６ｄが形成してある。
【００１８】
次に、図１に加え、更に図３を参照して、この実施形態の作用効果について説明する。ここで、この図３は、本発明によるフォーカス調整装置の一実施形態が適用された撮像レンズの一部断面による斜視図である。
【００１９】
まず、図１に示されているように、ビス５により、基台部材３の座面３ｂに電子回路基板４を取付ける。このとき、上記したように、この電子回路基板４には固体撮像素子４ａが取付けられているので、ここで基台部材３に固体撮像素子４ａが位置決めされたことになり、固体撮像素子４ａからの電気信号はケ−ブル４ｂにより、基台部材３の中から外部に伝送される。
【００２０】
一方、これと並行して、撮像レンズ部本体１の雄ねじ部１ａに円筒部材２の第１の雌ねじ部２ａを螺合させ、相互に締め付けて撮像レンズ部本体１と円筒部材２を一体化しておく。ここで、上記した第２の雌ねじ部２ｂの内径とピッチについて説明すると、これは、基台部材３の雄ねじ部３ａの外径とピッチと同じにしてある。
【００２１】
そこで、次に、雌ねじ部材６の雌ねじ部６ａを基台部材３の雄ねじ部３ａに螺合させた上で、基台部材３のリム部３ｃの近傍までねじ込んでおきく。このとき、基台部材３には刻み３ｄが設けてあり、雌ねじ部材６にも刻み６ｂが設けてあるので、作業が容易になる。
【００２２】
そして、その後から基台部材３の雄ねじ部３ａに円筒部材２の第２の雌ねじ部２ｂを螺合させ、雄ねじ部３ａの中途で止めておく。このときも、基台部材３にある刻み３ｄは有用である。このとき円筒部材２は、上記したように撮像レンズ部本体１と一体化されている。
【００２３】
そうすると、この状態では、撮像レンズ部本体１と固体撮像素子４ａの間の距離が、第２の雌ねじ部２ｂに対する雄ねじ部３ａの螺合位置に応じて決められていることになるので、ここで円筒部材２を回転操作することにより簡単にフォーカス合わせを行うことができる。
【００２４】
そこで、この状態で撮像レンズ部本体１又は円筒部材２を回転操作して最適なフォ−カス位置にした後、ここで回転を止める。このとき、雌ねじ部材６は、上記したように、基台部材３のリム部３ｃの近傍までねじ込まれているので、上記した撮像レンズ部本体１などによるフォ−カス合わせ操作の障害になることはない。
【００２５】
こうして、撮像レンズ部本体１又は円筒部材２を回転操作して最適なフォ−カス位置にしたら、ここで撮像レンズ部本体１又は円筒部材２を回動しないように抑え、次に雌ねじ部材６を反対方向に回動させると、円筒部材２の後端に向かって移動する。
【００２６】
そこで、雌ねじ部材６が円筒部材２の後端に当接するまで当該雌ねじ部材６を回動させた後、このままで雌ねじ部材６に更に回動方向の力を加えてやる。このときも雌ねじ部材６の刻み６ｂが有用である。
【００２７】
そうすると、図３に示すように、円筒部材２と雌ねじ部材６が基台部材３の雄ねじ部３ａの働きにより相互に締め合わされた状態になり、ここで、ダブルナット方式として良く知られているネジユルミ止め機能が働き、撮像レンズ部本体１が基台部材３の雄ねじ部３ａに強固に緊締され、撮像レンズ部本体１が確実に基台部材３に位置決めされることになる。
【００２８】
従って、この実施形態によれば、撮像レンズ部本体１又は円筒部材２の回動操作により簡単にフォ−カスを調整してフォーカス位置を決めることができ、この後、雌ねじ部材６を回動操作するだけで強固にフォーカス位置が固定できることになり、この結果、フォーカス合わせ作業が短時間で容易に行えることになり、コストの低減に寄与することができる。
【００２９】
また、この実施形態によれば、フォーカス合わせが、撮像レンズ部本体１又は円筒部材２の回動操作と雌ねじ部材６の回動操作だけで得られるので、特別な工具を必要とせず、手作業で、常に確実に精度の良いフォーカス合わせを得ることができ、ビデオカメラの信頼性向上に寄与することができる。
【００３０】
また、この実施形態によれば、撮像レンズ部本体１を基台部材３に取付けるために円筒部材２を用いているので、雄ねじ部１ａが所望の規格に作られいない場合であっても適用できるので、撮像レンズ部本体１が汎用品の場合でも、円筒部材２の雌ねじ部２ａの変更だけで対応することができ、従って、適用対象となる撮像レンズに制限を受ける虞が少なくて済む。
【図面の簡単な説明】
【００３１】
【図１】本発明によるフォ−カス調整装置の一実施形態を分解して示した斜視図である。
【図２】本発明に一実施形態における円筒部材の詳細を示す断面図である。
【図３】本発明によるフォ−カス調整装置の一実施形態を一部断面により示した斜視図である。
【符号の説明】
【００３２】
１：撮像レンズ部本体
１ａ：雄ねじ部(撮像レンズ部本体の雄ねじ部)
２：円筒部材
２ａ：第１の雌ねじ部(円筒部材の第１の雌ねじ部)
２ｂ：第２の雌ねじ部(円筒部材の第２の雌ねじ部)
３：基台部材(固体撮像素子取付用の基台)
３ａ：雄ねじ部(基台部材の雄ねじ部)
３ｂ：座面(電子回路基板を取付けるための座面)
３ｃ：リム部(基台部材のリム部)
３ｄ：刻み(基台部材の刻み)
４：電子回路基板
４ａ：固体撮像素子
５：ビス(比較的小型の雄ねじ
６：雌ねじ部材(ダブルナット緊締用)
６ａ：雌ねじ部(雌ねじ部材の雌ねじ部)
６ｂ：刻み(雌ねじ部材の刻み)
【図１】
2007093911.tif 000003
【図２】
2007093911.tif 000004
【図３】
2007093911.tif 000005